(57)【要約】  電子ペーパー２と電子ペーパー２を認証する認証装置３と携帯情報端末１とからなる情報表示システムが第１及び第２の位置検知手段２１（３１）と判断処理手段２３（３３）と情報送受信手段２５（３５、１３）と情報表示手段２２（３２）とを備える。第１及び第２の位置検知手段２１（３１）は電子ペーパー２と認証装置３とが重ねられた場合の電子ペーパー２と認証装置３との間の相対的な位置を検知する。判断処理手段２３（３３）は第１及び第２の位置検知手段２１（３１）によって検知された当該相対的な位置が所定の関係にあるかを判断する位置認証処理を行い、位置認証処理結果に基づいて、電子ペーパー２又は認証装置３に対して制御信号を送出する。情報送受信手段２５（３５、１３）は電子ペーパー２、認証装置３、又は携帯情報端末１との間で文字情報又は画像情報を送受信する。情報表示手段２２（３２）は判断処理手段２３（３３）によって送出された制御信号に基づいて電子ペーパー２上又は認証装置３上に文字情報又は画像情報を表示する。
2007132513.tif 000002
【特許請求の範囲】
【請求項１】
電子ペーパーと前記電子ペーパーを認証する認証装置と携帯情報端末とからなる情報表示システムであって、
前記電子ペーパー及び前記認証装置に備えられ、前記電子ペーパーと前記認証装置とが重ねられた場合の前記電子ペーパーと前記認証装置との間の相対的な位置を検知する第１及び第２の位置検知手段と、
前記電子ペーパー又は前記認証装置に備えられ、前記第１及び第２の位置検知手段によって検知された前記相対的な位置が所定の関係にあるかを判断する位置認証処理を行い、前記位置認証処理結果に基づいて、前記電子ペーパー又は前記認証装置に対して制御信号を送出する判断処理手段と、
前記電子ペーパー、前記認証装置、又は前記携帯情報端末に備えられ、前記電子ペーパー、前記認証装置、又は前記携帯情報端末との間で文字情報又は画像情報を送受信する情報送受信手段と、
前記電子ペーパー又は前記認証装置に備えられ、前記判断処理手段によって送出された制御信号に基づいて、前記電子ペーパー上又は前記認証装置上に文字情報又は画像情報を表示する情報表示手段とを備える
ことを特徴とする情報表示システム。
【請求項２】
請求項１に記載の情報表示システムにおいて、
前記情報送受信手段が、前記電子ペーパーと前記認証装置とを重ねるべき領域を示す画像である配置画像を前記電子ペーパー、前記認証装置、又は前記携帯情報端末との間で送受信し、
前記情報表示手段が、前記配置画像を前記電子ペーパー上又は前記認証装置上に表示し、
前記判断処理手段が、前記電子ペーパーの前記配置画像が表示される領域に前記認証装置が重ねられた場合、又は、前記認証装置の前記配置画像が表示される領域に前記電子ペーパーが重ねられた場合、前記電子ペーパー又は前記認証装置に対して制御信号を送出する
ことを特徴とする情報表示システム。
【請求項３】
請求項１に記載の情報表示システムにおいて、
前記情報表示手段が、さらに、前記送出された制御信号に基づいて、表示されている文字情報又は画像情報を非表示にする
ことを特徴とする情報表示システム。
【請求項４】
請求項１に記載の情報表示システムにおいて、
前記情報送受信手段が、前記電子ペーパー又は前記認証装置が備える前記判断処理手段に対して、文字情報や画像情報の表示を指示する情報又は文字情報や画像情報の非表示を指示する情報のいずれを制御信号として送出するかを指示する情報である制御選択情報を送信し、
前記判断処理手段が、前記情報送受信手段から受信した前記制御選択情報に基づいて、前記文字情報や画像情報の表示を指示する情報又は文字情報や画像情報の非表示を指示する情報を前記制御信号として送出し、
前記情報表示手段が、前記判断処理手段によって送出された制御信号に基づいて、前記電子ペーパー上又は前記認証装置上に文字情報又は画像情報を表示し、又は前記電子ペーパー上又は前記認証装置上に表示されている文字情報又は画像情報を非表示にする
ことを特徴とする情報表示システム。
【請求項５】
請求項１に記載の情報表示システムにおいて、
前記判断処理手段が、さらに、前記電子ペーパー又は前記認証装置についての機器認証処理を行い、前記位置認証処理結果と前記機器認証処理結果とに基づいて、前記制御信号を送出する
ことを特徴とする情報表示システム。
【請求項６】
請求項１に記載の情報表示システムが、さらに、
複数の前記第１及び第２の位置検知手段を備え、
前記判断処理手段が、前記複数の前記第１及び第２の位置検知手段によって検知された前記電子ペーパーと前記認証装置との間の相対的な位置が所定の関係にあるかを判断する位置認証処理を行う
ことを特徴とする情報表示システム。
【請求項７】
電子ペーパーと前記電子ペーパーを認証する認証装置と携帯情報端末とからなる情報表示システムにおける情報表示方法であって、
前記電子ペーパーと前記認証装置とが重ねられた場合の前記電子ペーパーと前記認証装置との間の相対的な位置を検知し、
前記検知された前記相対的な位置が所定の関係にあるかを判断する位置認証処理を行い、前記位置認証処理結果に基づいて、前記電子ペーパー又は前記認証装置に対して制御信号を送出し、
前記電子ペーパー、前記認証装置、又は前記携帯情報端末との間で文字情報又は画像情報を送受信し、
前記送出された制御信号に基づいて、前記電子ペーパー上又は前記認証装置上に文字情報又は画像情報を表示する
ことを特徴とする情報表示方法。
【請求項８】
請求項７に記載の情報表示方法において、
前記電子ペーパーと前記認証装置とを重ねるべき領域を示す画像である配置画像を前記電子ペーパー、前記認証装置、又は前記携帯情報端末との間で送受信し、
前記配置画像を前記電子ペーパー上又は前記認証装置上に表示し、
前記電子ペーパーの前記配置画像が表示される領域に前記認証装置が重ねられた場合、又は、前記認証装置の前記配置画像が表示される領域に前記電子ペーパーが重ねられた場合、前記電子ペーパー又は前記認証装置に対して制御信号を送出する
ことを特徴とする情報表示方法。
【発明の詳細な説明】
【技術分野】
【０００１】
本発明は、情報表示システム及び情報表示方法に関し、特に、簡便な操作でセキュリティ確保のための認証を行って、電子ペーパー上へ情報を表示し、又は電子ペーパー上に表示された情報を非表示にする情報表示システム及び情報表示方法に関する。
【背景技術】
【０００２】
近年、紙の長所と電子ディスプレイの長所とを併せ持つ電子ペーパーが研究開発されてきている。電子ペーパー上に情報を表示した状態にしておくと、他者の目に触れ、情報が漏洩してしまう危険がある。例えば、電子ペーパーを本社から営業所等に持ち運ぶ場合や、電子ペーパーを家に持ち込んで在宅業務を実施する場合に、移動途中で電子ペーパーを紛失したり、盗難にあう危険がある。その時、機密データが電子ペーパー上に表示されているか、又はその内容を容易に表示できる仕組みになっていると、情報漏洩してしまう危険がある。【０００３】
個人情報が記載された履歴書、契約書、アンケート、カルテ等、不用意に他者の目に触れないように扱う文書は多い。近い将来、電子ペーパーが汎用的に流通するようになった場合、情報が常に表示された状態になる紙に対して、必要に応じて情報を非表示にすることが可能な電子ペーパーのニーズが多くなると考えられることから、セキュリティ機能を持った電子ペーパーが研究されてきている。セキュリティ機能を持った電子ペーパーでは、例えば、パスワード入力、生体認証等の認証操作を行った上で、保存された情報の表示指示を行う。【０００４】
なお、下記の特許文献１は、登録した秘密データを外部へ送出する場合に認証操作を要求し、認証が正しい場合にのみ秘密データを外部へ送出できるようにする電子ペーパーについて記載している。
【特許文献１】特開２００５−１１５５３０号公報
【発明の開示】
【発明が解決しようとする課題】
【０００５】
本発明者の検討したところによれば、電子ペーパー上に情報を表示したり、電子ペーパー上に表示された情報を非表示にしたりする際の認証操作は、なるべく簡便な操作である事が望ましい。電子ペーパーが薄い形状を有している点や、電子ペーパーが一般のＰＣ（Personal Computer)より低価格になり得ることを考慮すると、電子ペーパーは、将来、全ての人々が利用する可能性がある。誰もが利用する電子ペーパーであれば、情報の参照操作が実施し易くなければならず、また、セキュリティを確保するための認証操作は簡便であることが要求される。【０００６】
また、本発明者の検討したところによれば、従来の電子ペーパーは、セキュリティ確保のために、パスワードによる認証や、電子ペーパーのユーザの生体情報を用いた生体認証等を行っているため、キーボード等からのパスワード入力又は煩雑な生体情報等の事前登録等が必要であり、利便性が阻害されるという問題がある。そこで、電子ペーパー上に情報を表示したり、電子ペーパー上に表示された情報を非表示にしたりする際の認証操作を簡便に行う仕組みが求められる。【０００７】
また、本発明者の検討したところによれば、携帯電話等の携帯情報端末から送信された情報を電子ペーパー上に表示するようにすれば、電子ペーパー上に表示させる情報を電子ペーパーと携帯情報端末とに分散して記憶しておくことができるため、さらにセキュリティを高めることができる。【０００８】
本発明は、簡便な操作でセキュリティ確保のための認証を行って、認証結果に応じて、携帯情報端末から転送した情報の電子ペーパーへの表示又は非表示を行う情報表示システムの提供を目的とする。【０００９】
また、本発明は、簡便な操作でセキュリティ確保のための認証を行って、認証結果に応じて、携帯情報端末から転送した情報の電子ペーパーへの表示又は非表示を行う情報表示方法の提供を目的とする。
【課題を解決するための手段】
【００１０】
本発明の情報表示システムは、電子ペーパーと前記電子ペーパーを認証する認証装置と携帯情報端末とからなる情報表示システムであって、前記電子ペーパー及び前記認証装置に備えられ、前記電子ペーパーと前記認証装置とが重ねられた場合の前記電子ペーパーと前記認証装置との間の相対的な位置を検知する第１及び第２の位置検知手段と、前記電子ペーパー又は前記認証装置に備えられ、前記第１及び第２の位置検知手段によって検知された前記相対的な位置が所定の関係にあるかを判断する位置認証処理を行い、前記位置認証処理結果に基づいて、前記電子ペーパー又は前記認証装置に対して制御信号を送出する判断処理手段と、前記電子ペーパー、前記認証装置、又は前記携帯情報端末に備えられ、前記電子ペーパー、前記認証装置、又は前記携帯情報端末との間で文字情報又は画像情報を送受信する情報送受信手段と、前記電子ペーパー又は前記認証装置に備えられ、前記判断処理手段によって送出された制御信号に基づいて、前記電子ペーパー上又は前記認証装置上に文字情報又は画像情報を表示する情報表示手段とを備える。【００１１】
また、好ましくは、本発明の情報表示システムにおいて、前記情報送受信手段が、前記電子ペーパーと前記認証装置とを重ねるべき領域を示す画像である配置画像を前記電子ペーパー、前記認証装置、又は前記携帯情報端末との間で送受信し、前記情報表示手段が、前記配置画像を前記電子ペーパー上又は前記認証装置上に表示し、前記判断処理手段が、前記電子ペーパーの前記配置画像が表示される領域に前記認証装置が重ねられた場合、又は、前記認証装置の前記配置画像が表示される領域に前記電子ペーパーが重ねられた場合、前記電子ペーパー又は前記認証装置に対して制御信号を送出する。【００１２】
また、好ましくは、本発明の情報表示システムにおいて、前記情報表示手段が、さらに、前記送出された制御信号に基づいて、表示されている文字情報又は画像情報を非表示にする。【００１３】
また、好ましくは、本発明の情報表示システムにおいて、前記情報送受信手段が、前記電子ペーパー又は前記認証装置が備える前記判断処理手段に対して、文字情報や画像情報の表示を指示する情報又は文字情報や画像情報の非表示を指示する情報のいずれを制御信号として送出するかを指示する情報である制御選択情報を送信し、前記判断処理手段が、前記情報送受信手段から受信した前記制御選択情報に基づいて、前記文字情報や画像情報の表示を指示する情報又は文字情報や画像情報の非表示を指示する情報を前記制御信号として送出し、前記情報表示手段が、前記判断処理手段によって送出された制御信号に基づいて、前記電子ペーパー上又は前記認証装置上に文字情報又は画像情報を表示し、又は前記電子ペーパー上又は前記認証装置上に表示されている文字情報又は画像情報を非表示にする。【００１４】
また、本発明の情報表示方法は、電子ペーパーと前記電子ペーパーを認証する認証装置と携帯情報端末とからなる情報表示システムにおける情報表示方法であって、前記電子ペーパーと前記認証装置とが重ねられた場合の前記電子ペーパーと前記認証装置との間の相対的な位置を検知し、前記検知された前記相対的な位置が所定の関係にあるかを判断する位置認証処理を行い、前記位置認証処理結果に基づいて、前記電子ペーパー又は前記認証装置に対して制御信号を送出し、前記電子ペーパー、前記認証装置、又は前記携帯情報端末との間で文字情報又は画像情報を送受信し、前記送出された制御信号に基づいて、前記電子ペーパー上又は前記認証装置上に文字情報又は画像情報を表示する。
【発明の効果】
【００１５】
本発明の情報表示システム及び情報表示方法は、電子ペーパーと認証装置とが重ねられた場合において、電子ペーパーと認証装置との間の相対的な位置が所定の関係にあるときに、電子ペーパー上又は認証装置上に文字情報又は画像情報を表示する。従って、電子ペーパーと認証装置とを重ねるという簡便な操作でセキュリティ確保のための認証を行って、認証結果に応じて電子ペーパー上又は認証装置上への情報の表示を行うことが可能となる。例えば、本発明の情報表示システム及び情報表示方法は、携帯電話等の携帯情報端末から電子ペーパー又は認証装置に送信された文字情報又は画像情報を電子ペーパー上又は認証装置上に表示する。従って、電子ペーパー上又は認証装置上に表示させる情報を電子ペーパー又は認証装置と携帯情報端末とに分散して記憶しておくことができるため、さらにセキュリティを高めることができる。また、電子ペーパー上又は認証装置上に表示させる情報を事前に確定させておかずに、その時点に応じて表示内容を変更させることが可能となる。【００１６】
また、本発明の情報表示システムは、配置画像を電子ペーパー上又は認証装置上に表示し、配置画像に認証装置又は電子ペーパーが重ねられた場合に、電子ペーパー上又は認証装置上に文字情報又は画像情報を表示する。従って、情報表示システムのユーザは、例えば、認証装置上において配置画像が表示された領域に電子ペーパーを重ねることで、電子ペーパー上又は認証装置上に情報を表示させることができる。この結果、ユーザが電子ペーパーを認証装置のどの領域に重ねたらよいか迷ったり、電子ペーパーを重ねる領域を間違えたりする可能性を低くすることができ、電子ペーパーの操作上の利便性を高くすることができる。また、電子ペーパーを認証装置に単純に重ねただけでは、電子ペーパー上又は認証装置上に情報が表示されないようにすることができる。従って、例えば、ユーザが、電子ペーパーと認証装置とを重ねて、カバン、袋、引き出し又は保存用のバインダー等に保管収容しようとする際に、ユーザの意志に反して電子ペーパーに情報が表示されることがないようにすることができる。【００１７】
また、本発明の情報表示システムは、電子ペーパーと認証装置とが重ねられた場合において、電子ペーパーと認証装置との相対的な位置が所定の関係にあるときに、電子ペーパー上又は認証装置上に表示されている文字情報又は画像情報を非表示にする。従って、電子ペーパーと認証装置とを重ねるという簡便な操作でセキュリティ確保のための認証を行って、認証結果に応じて電子ペーパー上又は認証装置上に表示されている情報を非表示にすることが可能となる。【００１８】
また、本発明の情報表示システムは、文字情報や画像情報の表示を指示する情報又は文字情報や画像情報の非表示を指示する情報のいずれを制御信号として送出するかを指示する情報である制御選択情報に基づいて、電子ペーパー上又は認証装置上に文字情報又は画像情報を表示し、又は、電子ペーパー上又は認証装置上に表示されている文字情報又は画像情報を非表示にする。例えば、電子ペーパーと認証装置との間の相対的な位置が所定の関係にあるときに、認証装置又は電子ペーパーが、携帯電話等の携帯情報端末から送信された制御選択情報に基づいて、認証装置上又は電子ペーパー上に文字情報又は画像情報を表示し、又は、認証装置上又は電子ペーパー上に表示されている文字情報又は画像情報を非表示にする。その結果、ユーザは、携帯電話等から制御選択情報を送信することにより、認証装置上又は電子ペーパー上に文字情報又は画像情報を表示させたり、認証装置上又は電子ペーパー上に表示されている文字情報又は画像情報を非表示にしたりすることが可能となる。
【図面の簡単な説明】
【００１９】
【図１】本発明のシステム構成の一例を示す図である。
【図２】判断処理手段の機能の一例を説明する図である。
【図３】電子ペーパーへの情報の表示処理の概要を説明する図である。
【図４】電子ペーパーへの情報の非表示処理の概要を説明する図である。
【図５】本発明の一実施形態による情報表示システムのデータ処理の一例を示す図である。
【図６】本発明の一実施形態を示す図である。
【図７】携帯情報端末の動作処理例を説明する図である。
【図８】認証装置の動作処理例を説明する図である。
【図９】電子ペーパーの動作処理例を説明する図である。
【図１０】携帯情報端末の構造の一例を示す図である。
【図１１】電子ペーパーの構造の一例を示す図である。
【図１２】認証装置の構造の一例を示す図である。
【図１３】携帯情報端末、電子ペーパー及び認証装置の断面の一例を示す図である。
【図１４】ＲＦＩＤタグのＩＤ番号の読み取り処理を説明する図である。
【図１５】位置検知処理の一例を説明する図である。
【図１６】位置検知処理の一例を説明する図である。
【図１７】位置検知処理の一例を説明する図である。
【図１８】電子ペーパーの操作例を説明する図である。
【図１９】電子ペーパーの操作例を説明する図である。
【図２０】電子ペーパーへの位置検知手段の配置例を示す図である。
【図２１】電子ペーパーと認証装置の重ね合わせの例を示す図である。
【図２２】本発明の他の実施の形態を示す図である。
【図２３】本発明の他の実施の形態を示す図である。
【図２４】本発明の他の実施の形態を示す図である。
【符号の説明】
【００２０】
１、１’  携帯情報端末
２  電子ペーパー
２−１、３−１  表面
２−２、３−２  中面第一層
２−３、３−３  中面第二層
２−４、３−４  裏面
３  認証装置
４  ネットワーク
１０  コンピュータ
１１、２３、３３  判断処理手段
１２、２４、３４  情報記憶手段
１３、２５、３５  情報送受信手段
２１、３１  位置検知手段
２１−１、２１−２、２１−３  ＲＦＩＤタグ
２２、３２  情報表示手段
２６、３６  電力供給手段
３０  配置画像
１００  会社
１０１  サテライトオフィス
１１０  主催社
１１１  チケット販売会社
１１２  自宅
１１３  コンサート会場
１１４  コンテンツ配信会社
１１５  広告代理店
２００  無線ＬＡＮカード
２０１  ＴＣＧチップ
２０２  電磁誘導コイル
３００  ユーザ
３０１  スケジュール画像
【発明を実施するための最良の形態】
【００２１】
図１は、本発明のシステム構成の一例を示す図である。本発明の情報表示システムは、電子ペーパー２又は認証装置３に情報を表示し、又は、電子ペーパー２又は認証装置３に表示された情報を非表示にするシステムである。本発明の情報表示システムは、携帯情報端末１と電子ペーパー２と電子ペーパー２を認証する認証装置３とからなる。また、本発明の情報表示システムは、第１及び第２の位置検知手段（位置検知手段２１及び位置検知手段３１）と、判断処理手段（判断処理手段２３又は判断処理手段３３）と、情報送受信手段（情報送受信手段２５、情報送受信手段３５、又は情報送受信手段１３）と、情報表示手段（情報表示手段２２又は情報表示手段３２）とを備える。第１及び第２の位置検知手段（位置検知手段２１及び位置検知手段３１）は、電子ペーパー２及び認証装置３に備えられ、電子ペーパー２と認証装置３とが重ねられた場合の電子ペーパー２と認証装置３との間の相対的な位置を検知する。判断処理手段（判断処理手段２３又は判断処理手段３３）は、電子ペーパー２又は認証装置３に備えられ、第１及び第２の位置検知手段（位置検知手段２１及び位置検知手段３１）によって検知された当該相対的な位置が所定の関係にあるかを判断する位置認証処理を行い、当該位置認証処理結果に基づいて、電子ペーパー２又は認証装置３に対して制御信号を送出する。情報送受信手段（情報送受信手段２５、情報送受信手段３５、又は情報送受信手段１３）は、電子ペーパー２、認証装置３、又は携帯情報端末１に備えられ、電子ペーパー２、認証装置３、又は携帯情報端末１との間で文字情報又は画像情報を送受信する。情報表示手段（情報表示手段２２又は情報表示手段３２）は、電子ペーパー２又は認証装置３に備えられ、判断処理手段（判断処理手段２３又は判断処理手段３３）によって送出された制御信号に基づいて、電子ペーパー２上又は認証装置３上に文字情報又は画像情報を表示する。【００２２】
本発明の一実施形態によれば、上記情報送受信手段（情報送受信手段２５、情報送受信手段３５又は情報送受信手段１３）が、電子ペーパー２と認証装置３とを重ねるべき領域を示す画像である配置画像を電子ペーパー２、認証装置３、又は携帯情報端末１との間で送受信するようにしてもよい。配置画像とは、電子ペーパー２と認証装置３とを重ねるべき領域（又は両者の相対的な位置）を示す配置情報である。この場合、上記情報表示手段（情報表示手段２２又は情報表示手段３２）が、当該配置画像を電子ペーパー２上又は認証装置３上に表示する。また、上記判断処理手段（判断処理手段２３又は判断処理手段３３）が、電子ペーパー２の配置画像が表示される領域に認証装置３が重ねられた場合、又は、認証装置３の配置画像が表示される領域に電子ペーパー２が重ねられた場合、電子ペーパー２又は認証装置３に対して制御信号を送出する。すなわち、表示された配置情報に従うように、電子ペーパー２と認証装置３の相対的な位置が定められた場合に、制御信号を送出する。【００２３】
携帯情報端末１は、電子ペーパー２と認証装置３以外のユーザが用いる情報処理装置であり、例えば、パーソナルコンピュータ（ＰＣ）、携帯電話等である。携帯情報端末１は、例えば、電子ペーパー２又は認証装置３と物理的に接続されているか、又は、インターネット等のネットワーク（図１では図示を省略）を介して有線または無線で接続されている。従って、携帯情報端末１は、例えば、インターネット接続機能を持つコンピュータを備える携帯情報端末である。携帯情報端末１は、無線でインターネット等のネットワークに接続する機能を備え、かつ、持ち運び可能な、例えばノート型のパーソナルコンピュータであってもよい。【００２４】
携帯情報端末１は、電子ペーパー２又は認証装置３との間で情報（文字情報や画像情報、配置情報、携帯情報端末１のユーザの属性情報等）を送受信する情報送受信手段１３を備える。本発明の一実施形態によれば、情報送受信手段１３が、制御選択情報を、電子ペーパー２又は認証装置３に対して送信するようにしてもよい。制御選択情報とは、後述する電子ペーパー２が備える判断処理手段２３又は後述する認証装置３が備える判断処理手段３３に対して、当該判断処理手段２３又は判断処理手段３３が後述する表示指示情報又は非表示指示情報のいずれを制御信号として送出するかを指示する情報である。また、本発明の一実施形態によれば、携帯情報端末１は、電子ペーパー２又は認証装置３とを認証（機器認証）する判断処理手段１１と、携帯情報端末１が電子ペーパー２又は認証装置３に送信する情報を記憶する情報記憶手段１２を備えてもよい。この場合、情報送受信手段１３は、判断処理手段１１による機器認証結果に基づいて、情報記憶手段１２内の情報を電子ペーパー２又は認証装置３に対して送信する。判断処理手段１１は、携帯情報端末１が電子ペーパー２又は認証装置３と通信可能であるかを判断するようにしてもよい。【００２５】
電子ペーパー２は、文書や画像を書き換えて表示することが可能な、紙のように薄い表示媒体である。電子ペーパー２は、位置検知手段２１と情報表示手段２２と情報記憶手段２４と情報送受信手段２５とを備える。位置検知手段２１は、認証装置３に重ねられた電子ペーパー２の位置を認証装置３に検知させる。情報表示手段２２は、認証装置３の判断処理手段３３又は後述する電子ペーパー２の判断処理手段２３から送出される制御信号（表示指示情報又は非表示指示情報）に基づいて、電子ペーパー２上への文字情報又は画像情報の表示処理、又は、電子ペーパー２上に表示されている文字情報又は画像情報の非表示処理を行う。情報送受信手段２５は、携帯情報端末１又は認証装置３から送信される情報（例えば、携帯情報端末１の機器ＩＤ情報、認証装置３の機器ＩＤ情報、表示指示情報、非表示指示情報、配置画像情報、制御選択情報、情報表示手段２２による表示対象である文字情報や画像情報等）を受信し、受信した情報を情報記憶手段２４内に記憶する。携帯情報端末１の機器ＩＤ情報とは、携帯情報端末１を一意に識別する識別情報であり、認証装置３の機器ＩＤ情報とは、認証装置３を一意に識別する識別情報である。また、情報送受信手段２５は、携帯情報端末１又は認証装置３に対して情報を送信する。携帯情報端末１に対して送信される情報は、例えば電子ペーパー２の機器ＩＤ情報であり、認証装置３に対して送信される情報は、例えば、電子ペーパー２の機器ＩＤ情報、表示指示情報、非表示指示情報、配置画像情報、制御選択情報、情報表示手段３２による表示対象である文字情報や画像情報等である。なお、電子ペーパー２の機器ＩＤ情報とは、電子ペーパー２を一意に識別する識別情報である。【００２６】
位置検知手段２１は、電子ペーパー２が認証装置３に重ねられた場合の認証装置３の位置を検知するようにしてもよい。また、表示指示情報とは、文字情報や画像情報の表示を指示する情報であり、非表示指示情報とは、文字情報や画像情報の非表示を指示する情報である。情報表示手段２２は、例えば、表示指示情報に従って、有色の液体と白色微粒子が入ったマイクロカプセルに対して電圧を印加して、白色微粒子を電気泳動させて、情報を表示する。情報表示手段２２は、情報記憶手段２４内に記憶された情報（例えば、携帯情報端末１から送信された文字情報や画像情報）を表示する。また、情報表示手段２２は、携帯情報端末１から送信された配置画像を表示するようにしてもよい。【００２７】
認証装置３は、電子ペーパー２に情報を表示する際、又は、電子ペーパー２に表示された情報を非表示にする際の認証を行う。認証装置３は、位置検知手段３１と判断処理手段３３と情報記憶手段３４と情報送受信手段３５とを備える。位置検知手段３１は、認証装置３上に重ねられた電子ペーパー２の位置を検知する。判断処理手段３３は、位置検知手段３１によって検知された電子ペーパー２の位置（電子ペーパー２と認証装置３との相対的な位置）が所定の位置であるか（電子ペーパー２と認証装置３との相対的な位置が所定の関係にあるか）を判断する位置認証処理を行い、当該位置認証処理結果に基づいて、電子ペーパー２又は認証装置３の情報表示手段３２に対して制御信号（表示指示情報又は非表示指示情報）を送出する。判断処理手段３３は、携帯情報端末１又は電子ペーパー２から受信した制御選択情報に基づいて、表示指示情報又は非表示指示情報を送出するようにしてもよい。判断処理手段３３による位置認証処理によって、電子ペーパー２の位置が認証されれば、電子ペーパー２が認証装置３上の所定の位置に正しく配置されたこととなる。位置検知手段３１は、電子ペーパー２が認証装置３に重ねられた場合の認証装置３の位置を電子ペーパー２に検知させるようにしてもよい。情報記憶手段３４は、情報表示手段３２によって表示される情報や、判断処理手段３３が送出する表示指示情報等を記憶する。情報送受信手段３５は、携帯情報端末１又は電子ペーパー２から送信される情報（例えば、電子ペーパー２の機器ＩＤ情報、携帯情報端末１のユーザの属性情報、表示指示情報、非表示指示情報、配置画像情報、制御選択情報、情報表示手段３２による表示対象である文字情報や画像情報等）を受信し、情報記憶手段３４内に記憶する。また、情報送受信手段３５は、携帯情報端末１又は認証装置３に対して情報を送信する。携帯情報端末１に対して送信される情報は、例えば認証装置３の機器ＩＤ情報であり、電子ペーパー２に対して送信される情報は、例えば、認証装置３の機器ＩＤ情報、表示指示情報、非表示指示情報、配置画像情報、制御選択情報、情報表示手段２２による表示対象である文字情報や画像情報等である。なお、本発明の一実施形態によれば、ユーザは、例えばキーボード等の入力手段（図示を省略）を用いて、判断処理手段３３に対して制御選択情報を設定することができる。【００２８】
電子ペーパー２が備える位置検知手段２１と認証装置３が備える位置検知手段３１は、例えば、発光ダイオード（ＬＥＤ：Light Emitting Diode）とフォトトランジスタとからなる光センサー、ＲＦＩＤ（Radio Frequency Identification）タグとＲＦＩＤタグリーダ等である。なお、本発明の実施の形態においては、位置検知手段２１又は位置検知手段３１として圧力センサーや磁気センサーを用いてもよい。【００２９】
本発明の一実施形態によれば、図１に示すように、認証装置３が、電子ペーパー２を認証装置３に重ねる領域を示す画像である配置画像を認証装置３上に表示する情報表示手段３２を備えてもよい。また、情報表示手段３２は、電子ペーパー２の判断処理手段２３又は自装置（認証装置３）内の判断処理手段３３から送出された制御信号に基づいて、認証装置３上に文字情報又は画像情報を表示し、又は表示されている文字情報等を非表示にしてもよい。なお、情報表示手段３２は、情報表示手段３２が内蔵するメモリチップ等の記憶手段に記憶された情報を表示するようにしてもよいし、情報記憶手段３４内に記憶された情報を表示するようにしてもよい。【００３０】
また、認証装置３が備える判断処理手段３３は、電子ペーパー２についての機器認証処理を行い、機器認証処理結果と前述した位置認証処理結果とに基づいて、電子ペーパー２又は情報表示手段３２に対して制御信号を送出するようにしてもよい。また、判断処理手段３３は、認証装置３内のハードウェアやソフトウェアの環境状態の認証（環境認証）処理を行い、前述した位置認証処理結果と機器認証処理結果と環境認証処理結果とに基づいて、電子ペーパー２又は情報表示手段３２に対して制御信号を送出するようにしてもよい。また、判断処理手段３３は、電子ペーパー２についての機器認証処理結果と、後述する電子ペーパー２の判断処理手段２３が行う認証装置３についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、電子ペーパー２又は情報表示手段３２に対して制御信号を送出するようにしてもよい。なお、判断処理手段３３は、自装置（認証装置３）についての機器認証処理を行い、当該機器認証処理結果と前述した位置認証処理結果とに基づいて、電子ペーパー２又は情報表示手段３２に対して制御信号を送出するようにしてもよい。【００３１】
また、本発明の一実施形態によれば、図１に示すように、電子ペーパー２が、さらに、判断処理手段２３を備えてもよい。この場合、判断処理手段２３は、位置検知手段２１によって検知された認証装置３の位置（電子ペーパー２と認証装置３との相対的な位置）が所定の位置であるか（電子ペーパー２と認証装置３との相対的な位置が所定の関係にあるか）を判断する位置認証処理を行い、当該位置認証処理結果に基づいて、認証装置３又は電子ペーパー２の情報表示手段２２に対して制御信号（表示指示情報又は非表示指示情報）を送出する。なお、本発明の一実施形態によれば、ユーザは、例えばキーボード等の入力手段（図示を省略）を用いて、判断処理手段２３に対して制御選択情報を設定することができる。判断処理手段２３は、認証装置３についての機器認証処理を行い、機器認証処理結果と前述した位置認証処理結果とに基づいて、認証装置３又は情報表示手段２２に対して制御信号を送出するようにしてもよい。また、判断処理手段２３は、電子ペーパー２内のハードウェアやソフトウェアの環境状態の認証（環境認証）処理を行い、前述した位置認証処理結果と機器認証処理結果と環境認証処理結果とに基づいて、認証装置３又は情報表示手段２２に対して制御信号を送出するようにしてもよい。また、判断処理手段２３は、認証装置３についての機器認証処理結果と、認証装置３の判断処理手段３３が行う電子ペーパー２についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、認証装置３又は情報表示手段２２に対して制御信号を送出するようにしてもよい。なお、判断処理手段２３は、自装置（電子ペーパー２）についての機器認証処理を行い、当該機器認証処理結果と前述した位置認証処理結果とに基づいて、認証装置３又は情報表示手段２２に対して制御信号を送出するようにしてもよい。【００３２】
また、本発明の一実施形態によれば、最終的に電子ペーパー２に表示される全ての情報を、携帯情報端末１が備える情報記憶手段１２内に記憶してもよい。また、電子ペーパー２に表示される情報を、携帯情報端末１、認証装置３、又は電子ペーパー２に分散して記憶してもよい。同様に、本発明の一実施形態によれば、最終的に認証装置３に表示される全ての情報を、携帯情報端末１が備える情報記憶手段１２内に記憶してもよい。また、認証装置３に表示される情報を、携帯情報端末１、認証装置３、又は電子ペーパー２に分散して記憶してもよい。【００３３】
なお、図１では図示を省略するが、電子ペーパー２及び認証装置３は、それぞれ、例えば、二次電池、小型ボタン電池、太陽電池等の電力供給手段を備えてもよい。【００３４】
上述した携帯情報端末１、電子ペーパー２又は認証装置３が備える各処理手段の機能は、ＣＰＵとその上で実行されるプログラムにより実現される。【００３５】
図２（Ａ）または図２（Ｂ）は、判断処理手段の機能の一例を説明する図である。ここでは、認証装置３が備える判断処理手段３３の機能を例にとって説明する。電子ペーパー２が備える判断処理手段２３の機能は、判断処理手段３３の機能と同様であるので、説明を省略する。前述したように、判断処理手段３３は、例えば、位置検知手段３１による位置検知結果に基づいて、電子ペーパー２についての位置認証処理を行う。また、判断処理手段３３は、例えば、電子ペーパー２から送信される機器ＩＤ情報に基づいて、電子ペーパー２の機器認証を行う。電子ペーパー２から送信される機器ＩＤ情報は、例えば、電子ペーパー２が備える判断処理手段２３を実現するＴＣＧ（Trusted Computing Group)チップ内に記憶されている。また、判断処理手段３３は、前述したように、例えば、認証装置３内のハードウェアやソフトウェアの環境状態の認証（環境認証）を行う。上述した機能を備える判断処理手段３３は、例えば、上述したＴＣＧチップ等によって実現される。【００３６】
判断処理手段３３は、例えば、図２（Ｂ）に示すように、電子ペーパー２についての位置認証処理及び機器認証処理を行う他、携帯情報端末１から送信された情報（例えば、携帯情報端末１のユーザの属性情報等）に基づいて、携帯情報端末１のユーザについての本人認証処理を行い、当該本人認証処理結果に基づいて、情報表示手段３２に対して制御信号を送出するようにしてもよい。なお、本発明の一実施形態によれば、判断処理手段３３は、携帯情報端末１のユーザについての本人認証結果に基づいて、携帯情報端末１に対して、携帯情報端末１内に記憶されている情報を復号するためのキーを送信するようにしてもよい。【００３７】
図３は、電子ペーパーへの情報の表示処理の概要を説明する図である。例えば、電子ペーパー２に、文字情報や画像情報等が表示されていない状態を想定する。携帯情報端末１は、認証装置３に対して情報（例えば、文字情報や画像情報、配置画像の情報、制御選択情報等）を送信する。認証装置３は、図３中に示すように、配置画像３０を表示する。ユーザが電子ペーパー２を認証装置３上に表示された配置画像３０の上に正しく重ねると、電子ペーパー２に文字情報や画像情報等が表示される。【００３８】
図４は、電子ペーパーへの情報の非表示処理の概要を説明する図である。電子ペーパー２に、文字情報や画像情報等が表示されている状態を想定する。携帯情報端末１は、認証装置３に対して情報（例えば、配置画像の情報、制御選択情報等）を送信する。認証装置３は、図４中に示すように、例えば携帯情報端末１から送信された配置画像３０を表示する。ユーザが電子ペーパー２を認証装置３に表示された配置画像３０の上に正しく重ねると、電子ペーパー２に表示されていた文字情報や画像情報等が非表示になる。【００３９】
図５は、本発明の一実施形態による情報表示システムのデータ処理の一例を示す図である。携帯情報端末１の情報送受信手段１３が、認証装置３の情報送受信手段３５に対して情報（例えば、文字情報や画像情報、配置画像の情報、制御選択情報）を送信する。認証装置３において、携帯情報端末１から受信した情報は、情報記憶手段３４に記憶される。また、認証装置３の情報送受信手段３５が、電子ペーパー２の情報送受信手段２５から情報（例えば、電子ペーパー２の機器ＩＤ情報、表示指示情報、非表示指示情報等）を受信する。電子ペーパー２から受信した情報は、情報記憶手段３４に記憶される。例えば、情報表示手段３２が、携帯情報端末１から送信された配置画像の情報に基づいて配置画像を表示する。また、認証装置３の判断処理手段３３が、位置検知手段３１による位置検知結果に基づいて位置認証処理を行う。また、判断処理手段３３が、例えば、情報記憶手段３４内に記憶された、電子ペーパー２の機器ＩＤ情報に基づいて、電子ペーパー２についての機器認証を行う。そして、判断処理手段３３は、上記の位置認証処理結果と電子ペーパー２についての機器認証処理結果と、自装置（認証装置３）についての環境認証処理結果とに基づいて、情報表示手段３２に対して制御信号を送出する。判断処理手段３３が情報表示手段３２に対して送出する制御信号は、電子ペーパー２から受信した表示指示情報又は非表示指示情報であってもよい。電子ペーパー２におけるデータ処理は、上述した認証装置３におけるデータ処理と同様であるので、説明を省略する。【００４０】
図６は、本発明の一実施形態を示す図である。例えば、電子ペーパー２に、文字情報や画像情報等が表示されていない状態を想定する。携帯情報端末１と同様の構成を備える携帯情報端末１’が、ネットワーク４を介して携帯情報端末１に対して情報（文字情報や画像情報、配置画像の情報等）を送信する。携帯情報端末１’は制御選択情報を携帯情報端末１に対して送信するようにしてもよい。制御選択情報は、認証装置３が備える判断処理手段３３（図示を省略）に対して、判断処理手段３３が表示指示情報又は非表示指示情報のいずれを制御信号として情報表示手段３２（図示を省略）に対して送出するかを指示する情報である。携帯情報端末１は、携帯情報端末１’から送信された情報を認証装置３に対して送信する。認証装置３は、図６中に示すように、配置画像３０を表示する。ユーザが電子ペーパー２を認証装置３上に表示された配置画像３０の上に正しく重ねると、電子ペーパー２に文字情報や画像情報等が表示される。【００４１】
図７は、携帯情報端末の動作処理例を説明する図である。例えば、図６に示す携帯情報端末１が、携帯情報端末１’から制御選択情報を受信する（ステップＳ１）。ステップＳ１においては、携帯情報端末１は、さらに、文字情報や画像情報を受信する。次に、携帯情報端末１は、認証装置３と通信可能かを判断する（ステップＳ２）。携帯情報端末１が認証装置３と通信可能でないと判断した場合はステップＳ１に戻る。携帯情報端末１が認証装置３と通信可能であると判断した場合は、携帯情報端末１は、認証装置３に対して制御選択情報を送信する（ステップＳ３）。ステップＳ３においては、携帯情報端末１は、さらに、認証装置３に対して文字情報や画像情報を送信する。【００４２】
図８は、認証装置の動作処理例を説明する図である。認証装置３は、携帯情報端末１から制御選択情報を受信したかを判断する（ステップＳ１１）。認証装置３が携帯情報端末１から制御選択情報を受信していないと判断した場合は、ステップＳ１に戻る。認証装置３が携帯情報端末１から制御選択情報を受信したと判断した場合は、認証装置３は、配置画像３０を表示する（ステップＳ１２）。配置画像３０が表示されると、電子ペーパー２の操作者によって、電子ペーパー２が認証装置３に重ねられる。認証装置３は、位置認証処理を実行し（ステップＳ１３）、電子ペーパー２の重ね合わせを所定の位置で検知したかを判断する（ステップＳ１４）。認証装置３が電子ペーパー２の重ね合わせを所定の位置で検知していないと判断した場合は、一定時間待機した後（ステップＳ１６）、ステップＳ１３に戻る。認証装置３が電子ペーパー２の重ね合わせを所定の位置で検知したと判断した場合は、認証装置３は、電子ペーパー２に表示指示情報を送信する（ステップＳ１５）。【００４３】
図９は、電子ペーパーの動作処理例を説明する図である。電子ペーパー２は、認証装置から表示指示情報を受信したかを判断する（ステップＳ２１）。電子ペーパー２が、認証装置３から表示指示情報を受信していないと判断した場合は、ステップＳ２１に戻る。電子ペーパー２が、認証装置３から表示指示情報を受信したと判断した場合は、電子ペーパー２は、認証装置３の位置が所定の位置かを判断する（ステップＳ２２）。すなわち、電子ペーパー２が、認証装置３についての位置認証処理を行う。電子ペーパー２が、認証装置３の位置が所定の位置でないと判断した場合はステップＳ２１に戻る。電子ペーパー２が、認証装置３の位置が所定の位置であると判断した場合は、電子ペーパー２は、情報（文字情報や画像情報）を表示する（ステップＳ２３）。【００４４】
図１０は、携帯情報端末の構造の一例を示す図である。例えば、携帯情報端末１として携帯電話を例にとって説明する。携帯電話１内の判断処理手段１１は、ＴＣＧチップ２０１を備え、前述したように、電子ペーパー２又は認証装置３についての機器認証処理を行う。情報記憶手段１２は、例えば、ＩＣメモリ、ＳＤ（Secure Degital）カード、フラッシュメモリ、小型ハードディスク（ＨＤ）等からなる。情報送受信手段１３は、例えば、電子メールの送受信機能、無線ＬＡＮ通信機能、赤外線通信機能、Ｂｌｕｅｔｏｏｔｈ機能等を備える。【００４５】
図１１は、電子ペーパーの構造の一例を示す図である。図１１に示すように、電子ペーパー２は、表面２−１、中面第一層２−２、中面第二層２−３、裏面２−４という層構造を有する。電子ペーパー２の表面２−１には、情報表示手段２２が設けられる。中面第一層２−２には、無線ＬＡＮカード２００等を備える情報送受信手段２５、ＴＣＧチップ２０１等を備える判断処理手段２３、情報記憶手段２４、電力供給手段２６が設けられる。なお、電力供給手段２６は、例えば、二次電池、小型ボタン電池、太陽電池、電磁誘導による電力発生コイル等である。中面第二層２−３には、例えばパッシブ型のＲＦＩＤタグ等の位置検知手段２１が設けられる。なお、裏面２−４はカバーとして機能する。【００４６】
図１２は、認証装置の構造の一例を示す図である。図１２に示すように、認証装置３は、表面３−１、中面第一層３−２、中面第二層３−３、裏面３−４という層構造を有する。認証装置３の表面３−１には、情報表示手段３２が設けられる。中面第一層には、位置検知手段３１と電磁誘導コイル２０２とが設けられる。位置検知手段３１は、例えば、ＲＦＩＤタグリーダである。当該ＲＦＩＤタグリーダは、例えば、図１１に示す電子ペーパー２の中面第二層２−３に設けられるパッシブ型のＲＦＩＤタグ等の位置検知手段２１の識別情報を読み取る。電磁誘導コイル２０２は、例えば認証装置３が電磁誘導によって電子ペーパー２に電力を供給する場合に設置される。中面第二層３−３には、無線ＬＡＮカード２００等を備える情報送受信手段３５、ＴＣＧチップ２０１等を備える判断処理手段３３、情報記憶手段３４、電力供給手段３６が設置される。電力供給手段３６は、例えば、二次電池、小型ボタン電池、太陽電池、電磁誘導による電力発生コイル等である。なお、裏面３−４はカバーとして機能する。【００４７】
図１３（Ａ）及び図１３（Ｂ）は、携帯情報端末、電子ペーパー及び認証装置の断面の一例を示す図である。図１３（Ａ）に示す電子ぺーパー２の位置検知手段２１は、パッシブ型のＲＦＩＤタグである。また、認証装置３の位置検知手段３１は、ＲＦＩＤタグリーダである。図１３（Ａ）及び図１３（Ｂ）は、電子ペーパー２が認証装置３上に重ねられた例を示す。図１３（Ａ）に示す携帯情報端末１の情報送受信手段１３が、認証装置３に対して情報（文字情報や画像情報、配置画像の情報等）を送信する。また、図１３（Ａ）に示すＲＦＩＤタグリーダ（位置検知手段）３１が、起電電波を位置検知手段（ＲＦＩＤタグ）２１に対して発信する。ＲＦＩＤタグリーダ３１から当該起電電波を受けたＲＦＩＤタグ２１が、ＲＦＩＤタグ２１の識別情報（例えば、ＩＤ番号）を含む信号電波をＲＦＩＤタグリーダ３１に対して返し、ＲＦＩＤタグリーダ３１がＲＦＩＤタグ２１のＩＤ番号を読み取る。【００４８】
例えば、図１４に示すように、ＩＤ番号がＡ１のＲＦＩＤタグ２１−１、ＩＤ番号がＡ２のＲＦＩＤタグ２１−２、ＩＤ番号がＡ３のＲＦＩＤタグ２１−３という３個のＲＦＩＤタグ２１を備える電子ペーパー２が、４８個のＲＦＩＤタグリーダ３１を備える認証装置３上に重ねられる。電子ペーパー２は、認証装置３上において、図１４中の矢印の先に示すような位置に配置される。図１４中、認証装置３内のＲＦＩＤタグリーダ３１内に記述された番号は、ＲＦＩＤタグリーダ３１の識別番号である。図１４に示すように、ＩＤ番号がＡ１のＲＦＩＤタグ２１−１は識別番号が１４のＲＦＩＤタグリーダ３１上に配置され、ＩＤ番号がＡ２のＲＦＩＤタグ２１−２は識別番号が２０のＲＦＩＤタグリーダ３１上に配置され、ＩＤ番号がＡ３のＲＦＩＤタグ２１−３は識別番号が１５のＲＦＩＤタグリーダ３１上に配置されている。従って、例えば、識別番号が１４のＲＦＩＤタグリーダ３１はＡ１というＩＤ番号を読み取り、識別番号が１５のＲＦＩＤタグリーダ３１はＡ３というＩＤ番号を読み取り、識別番号２０のＲＦＩＤタグリーダ３１はＡ２というＩＤ番号を読み取る。【００４９】
図１３（Ａ）に戻って、認証装置３内のＴＣＧチップ２０１が、各ＲＦＩＤタグリーダ３１が読み取ったＩＤ番号が、予め設定されたＩＤ番号であって、電子ペーパー２が正しく認証装置３の配置画像上に重ねられた場合に各ＲＦＩＤタグリーダ３１が読み取るべきＲＦＩＤタグ２１のＩＤ番号と合致するかを判断する。各ＲＦＩＤタグリーダ３１が読み取ったＩＤ番号が、上記の予め設定されたＩＤ番号と合致する場合は、ＴＣＧチップ２０１は、電子ペーパー２の位置を認証する。なお、本発明の一実施形態によれば、図１３（Ａ）において、電子ペーパー２が位置検知手段２１としてＲＦＩＤタグリーダを備え、認証装置３が位置検知手段３１としてＲＦＩＤタグを備えてもよい。【００５０】
図１３（Ｂ）に示す電子ぺーパー２は、位置検知手段２１としてＬＥＤを備え、認証装置３は、位置検知手段３１として光センサーを備える。図１３（Ｂ）に示すＬＥＤ（位置検知手段）２１が発光すると、光センサー（位置検知手段）３１がＬＥＤ２１から発せられた光信号を検知する。認証装置３内のＴＣＧチップ２０１が、光信号を検知した光センサー３１が、予め設定された光センサーであって、電子ペーパー２が正しく認証装置３の配置画像上に重ねられた場合に光信号を検知すべき光センサー３１と合致するかを判断する。光信号を検知した光センサー３１が、上記の予め設定された光センサーと合致する場合は、ＴＣＧチップ２０１は、電子ペーパー２の位置を認証する。【００５１】
図１５（Ａ）及び図１５（Ｂ）、図１６（Ａ）〜図１６（Ｃ）、図１７（Ａ）及び図１７（Ｂ）は、本発明の一実施形態による位置検知処理の一例を説明する図である。図１５（Ａ）に示すように、電子ペーパー２の中面第二層２−３には、ＬＥＤ２１が設けられている。なお、中面第二層２−３は、辺ａａ’が表面２−１の辺ｄｄ’と重なり、辺ｂｂ’が表面２−１の辺ｃｃ’と重なるように、表面２−１の背後に設けられる。また、図１５（Ｂ）に示す認証装置３には、例えば光センサー３１（図示を省略）が設けられている。図１５（Ａ）に示される電子ペーパー２の表面２−１を図１５（Ｂ）に示す認証装置３上に表示された配置画像３０上に重ねると、電子ペーパー２は、図１６（Ａ）に示すように認証装置３の上に重なる。図１６（Ｂ）は、図１６（Ａ）に示される電子ペーパー２と認証装置３との重なり状態を、電子ペーパー２の下に隠れた認証装置３の光センサー３１が透けて見える形式で示す図である。図１６（Ｂ）に示す状態で電子ペーパー２が上に重なっている認証装置３においては、例えば、図１５（Ａ）に示す電子ペーパー２の中面第二層２−３に設けられたＬＥＤ２１に近接する光センサー３１がＬＥＤ２１からの光信号を検知する。図１６（Ｃ）は、図１６（Ｂ）に示すような状態で電子ペーパー２が上に重なっている認証装置３を示す図である。図１６（Ｃ）中の、黒く塗りつぶした部分に示す光センサー３１は、ＬＥＤ２１からの光信号を検知せず、斜線部に示す光センサー３１だけがＬＥＤ２１からの光信号を検知する。認証装置３の判断処理手段３３（図示を省略）は、光信号を検知した光センサー３１が、予め設定された光センサーであって、電子ペーパー２が正しく認証装置３の配置画像３０上に重ねられた場合に光信号を検知すべき光センサーと合致するかを判断する。光信号を検知した光センサー３１が上記の予め設定された光センサーと合致する場合は、判断処理手段３３は、電子ペーパー２の位置を認証する。【００５２】
本発明の一実施例によれば、図１５（Ａ）に示す電子ペーパー２の中面第二層２−３にＲＦＩＤタグ２１が設けられ、図１５（Ｂ）に示す認証装置３にＲＦＩＤタグリーダ３１（図示を省略）が設けられる。電子ペーパー２を認証装置３の上に重ねると、例えば図１７（Ａ）に示すような重なり状態となる。従って、電子ペーパー２の中面第二層２−３（図１５（Ａ）参照）に設けられたＲＦＩＤタグ２１に近接するＲＦＩＤタグリーダ３１が、ＲＦＩＤタグ２１のＩＤ番号を読み取る。例えば、図１７（Ａ）に示すような状態で電子ペーパー２が上に重なっている認証装置３を示す図である図１７（Ｂ）中の、黒く塗りつぶした部分に示すＲＦＩＤタグリーダ３１が、ＲＦＩＤタグ２１のＩＤ番号を読み取る。認証装置３は、ＲＦＩＤタグ２１のＩＤ番号を読み取ったＲＦＩＤタグリーダ３１が、予め設定されたＲＦＩＤタグリーダであって、電子ペーパー２が正しく認証装置３の配置画像３０上に重ねられた場合にＲＦＩＤタグ２１のＩＤ番号を読み取るべきＲＦＩＤタグリーダと合致するかを判断する。ＲＦＩＤタグ２１のＩＤ番号を読み取ったＲＦＩＤタグリーダ３１が、上記の予め設定されたＲＦＩＤタグリーダと合致する場合は、判断処理手段３３は、電子ペーパー２の位置を認証する。【００５３】
図１８（Ａ）〜図１８（Ｄ）、図１９（Ａ）〜図１９（Ｄ）は、電子ペーパーの操作例を説明する図である。図１８（Ｂ）に示すように、認証装置３上に長方形の配置画像３０が表示されると、例えば、ユーザは、図１８（Ａ）に示す電子ペーパー２を図１８（Ｂ）に示す認証装置３の方向に移動させて、電子ペーパー２の辺が認証装置３上に表示された配置画像３０の輪郭線に合うように、電子ペーパー２を当該認証装置３上に重ねる。その結果、電子ペーパー２と認証装置３とは、図１８（Ｃ）に示すような重なり状態となる。図１８（Ｃ）に示すような重なり状態では、電子ペーパー２が備えるＲＦＩＤタグ２１と認証装置３が備えるＲＦＩＤタグリーダ３１とは、図１８（Ｄ）に示すような位置関係となる。【００５４】
また、認証装置３上に、図１９（Ｂ）に示すような配置画像３０が表示されると、例えば、ユーザは、図１９（Ａ）に示す電子ペーパー２を、電子ペーパー２の辺が配置画像３０の輪郭線に合うように斜めに傾けて、認証装置３上に重ねる。その結果、電子ペーパー２と認証装置３とは、図１９（Ｃ）に示すような重なり状態となる。図１９（Ｃ）に示すような重なり状態では、電子ペーパー２が備えるＲＦＩＤタグ２１と認証装置３が備えるＲＦＩＤタグリーダ３１とは、図１９（Ｄ）に示すような位置関係となる。【００５５】
図２０（Ａ）〜図２０（Ｃ）は、電子ペーパーへの位置検知手段（例えば、ＲＦＩＤタグやＬＥＤ）の配置例を示す図である。本発明の一実施形態では、例えば電子ペーパー２に、様々な数の位置検知手段２１を様々な並びで配置する。なお、図示は省略するが、例えば、認証装置３に、様々な数の位置検知手段（例えば、ＲＦＩＤタグリーダや光センサー）３１を様々な並びで配置するようにしてもよい。【００５６】
図２１は、電子ペーパーと認証装置の重ね合わせの例を示す図である。電子ペーパー２が位置検知手段２１としてＲＦＩＤタグを備え、認証装置３が位置検知手段３１としてＲＦＩＤタグリーダを備える場合を例にとって説明する。図２１の左上の図と右上の図は、電子ペーパー２を認証装置３上に重ねたときの重なり状態を示している。図２１の左上の図に示すように、認証装置３には、ＲＦＩＤタグリーダ３１が、認証装置３の各辺に対して平行に並ぶように配置されているとする。例えば、予め、図２１の左上の図の中の点線で囲った３個のＲＦＩＤタグリーダ３１が電子ペーパー２が備えるＲＦＩＤタグ２１のＩＤ番号を読み取った場合に、認証装置３が表示指示情報を電子ペーパー２に対して送出するように設定しておく。【００５７】
ここで、図２１の左下の図中に示すような並びでＲＦＩＤタグ２１が配置された電子ペーパー２を、図２１の左上の図に示す認証装置３に重ねる場合、当該電子ペーパー２の側面と認証装置３の側面とが平行になるように重ねなければならない。電子ペーパー２の側面と認証装置３の側面とが平行になるように重ねられない場合、図２１の左上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００５８】
また、図２１の右下の図中に示すような並びでＲＦＩＤタグ２１が配置された電子ペーパー２を、図２１の左上の図に示す認証装置３に重ねる場合、当該電子ペーパー２の側面を認証装置３の側面に対して斜めに傾けて重ねなければならない。電子ペーパー２の側面が認証装置３の側面に対して斜めに傾けて重ねられない場合、図２１の左上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００５９】
また、本発明の一実施形態によれば、例えば、図２１の右上の図に示すように、認証装置３に、ＲＦＩＤタグリーダ３１が、認証装置３の各辺と所定の角度を成す並びで配置されている。また、例えば、予め、図２１の右上の図の中の点線で囲った３個のＲＦＩＤタグリーダ３１が電子ペーパー２が備えるＲＦＩＤタグ２１のＩＤ番号を読み取った場合に、認証装置３が表示指示情報を電子ペーパー２に対して送出するように設定しておく。【００６０】
ここで、図２１の右下の図中に示すような並びでＲＦＩＤタグ２１が配置された電子ペーパー２を、図２１の右上の図に示す認証装置３に重ねる場合、当該電子ペーパー２の側面と認証装置３の側面とが平行になるように重ねなければならない。電子ペーパー２の側面と認証装置３の側面とが平行になるように重ねられない場合、図２１の右上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００６１】
また、図２１の左下の図中に示すような並びでＲＦＩＤタグ２１が配置された電子ペーパー２を、図２１の右上の図に示す認証装置３に重ねる場合、当該電子ペーパー２の側面を認証装置３の側面に対して斜めに傾けて重ねなければならない。電子ペーパー２の側面が認証装置３の側面に対して斜めに傾けて重ねられない場合、図２１の右上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００６２】
本発明の他の実施の形態について、図２２を参照して説明する。会社１００において、資料作成者（図示を省略）が、コンピュータ１０を用いて資料を作成し、作成した資料のデータを電子ペーパー２に書き込む。資料作成者は、コンピュータ１０からネットワーク４を介してサテライトオフィス１０１内の携帯電話１に対して、制御選択情報を送信する。この場合において、上記制御選択情報は、例えば、サテライトオフィス１０１内の認証装置３が備える判断処理手段３３（図２２においては図示を省略）に対して、判断処理手段３３が表示指示情報を制御信号として送出することを指示する情報である。携帯電話１は、受信した当該制御選択情報をサテライトオフィス１０１内の認証装置３に送信する。【００６３】
また、資料作成者は、書き込まれた資料のデータが表示されている電子ペーパー２と認証装置３とを重ねて、電子ペーパー２上において、資料のデータを非表示状態にする。この後、資料作成者は、当該電子ペーパー２を会社１００から持ち出して、サテライトオフィス１０１内に持ち込む。サテライトオフィス１０１において、資料作成者が、当該持ち込んだ電子ペーパー２を認証装置３上に表示された配置画像３０の上に正しく重ねると、認証装置３は、携帯電話１から送信された制御選択情報に基づいて、当該電子ペーパー２上に資料のデータを表示させる。図２２に示す本発明の実施の形態によれば、例えば、秘密情報が含まれている資料を会社から持ち出す際のセキュリティを確保することができる。【００６４】
本発明の他の実施の形態について、図２３を参照して説明する。本実施の形態では、携帯情報端末１として携帯電話を用いる。自宅１１２にいるユーザ３００が、携帯電話１を用いて、チケット販売会社１１１からチケット情報を取得する。チケット情報は携帯電話１内の情報記憶手段１２（図２３においては図示を省略）内に記憶される。チケット情報は、例えば、主催社１１０が主催するコンサートのチケットＮｏ、コンサート名、コンサートの開催日時、コンサートの開催場所、当該チケットの購入者Ｎｏ等である。【００６５】
チケット情報を取得したユーザ３００は、携帯電話１を持ってコンサート会場１１３に出掛ける。コンサート会場１１３において、ユーザ３００は、携帯電話１を操作して、コンサート会場１１３内の認証装置３に対してチケット情報を送信する。認証装置３は、携帯電話１から受信したチケット情報に基づいて、ユーザ３００についての本人認証処理を行う。認証装置３は、ユーザ３００を認証許可すると、携帯電話１に対して復号キーを送信する。また、ユーザ３００は、コンサート会場１１３への入場が許可される。なお、復号キーは、後述するビデオ情報を復号するためのキーである。コンサート会場１１３では、コンサートが実施される。当該コンサート内容はビデオ編集され、コンテンツ配信会社１１４、広告代理店１１５に送信される。【００６６】
ユーザ３００は、コンサート会場１１３内において、コンサートのビデオ情報が登録されていない電子ペーパー２を配布され、自宅１１２に戻る。次に、コンテンツ配信会社１１４が自宅１１２内の携帯電話１に対してビデオ情報を配信する。ビデオ情報とは、例えば、コンサート内容を編集したビデオ情報と、広告代理店１１５によって作成されたＣＭ（Commercial）の情報である。例えば、当該ビデオ情報は暗号化されている。【００６７】
携帯電話１は、ユーザ３００の操作に従って、例えば、認証装置３から送信された復号キーを用いて、コンテンツ配信会社１１４から配信されたビデオ情報を復号し、復号したビデオ情報を認証装置３に対して送信する。ユーザ３００が、電子ペーパー２を認証装置３上の正しい位置に重ねると、認証装置３は、ビデオ情報を電子ペーパー２上に表示させる。この結果、ユーザ３００は、電子ペーパー２上に表示されたビデオ情報を参照することができるようになる。【００６８】
本発明の他の実施の形態について、図２４（Ａ）及び図２４（Ｂ）を参照して説明する。図２４（Ａ）及び図２４（Ｂ）に示す実施の形態では、認証装置３をコンサート（ライブ）の会員証として用い、電子ペーパー２を当該コンサート（ライブ）のチケットとして用いる。図２４（Ｂ）に示す携帯電話（携帯情報端末）１が当該コンサートのコンテンツをコンテンツ配信会社（図示を省略）から受信し、受信したコンテンツを認証装置（会員証）３に送信する例を示す。【００６９】
会員証（認証装置）３が携帯電話１からコンテンツを受信する前は、会員証３には、図２４（Ａ）に示すように、会員番号及び当該会員証３の有効期限の情報が表示されている。会員証３が携帯電話１から当該コンサートのコンテンツを受信すると、認証装置３は、例えば、図２４（Ｂ）に示すように、当該会員証３上に当該コンサートのライブスケジュール（開催日）を示す画像であるスケジュール画像３０１を表示する。各スケジュール画像３０１は、当該会員証３の有効期限内に開催されるコンサートのライブスケジュールを示している。図２４（Ｂ）に示す例では、当該コンサートは、例えば、１０月２日、１０月１０日、１２月２３日、１２月３１日という４つの日付において開催されることがわかる。各スケジュール画像３０１の左隅に描写された三角形の画像は、配置画像３０である。各配置画像３０は、当該コンサートの各開催日について、携帯電話１のユーザがコンサートのコンテンツを購入済みか否か、また、当該コンテンツが未発売かによって、その表示形式が異なる。例えば、網かけが施された配置画像３０は、当該配置画像３０に係る開催日（図２４（Ｂ）では１０月２日）について、当該コンテンツが購入済みであることを示している。また、黒く塗りつぶされた配置画像３０は、当該配置画像３０が左隅に描写されたスケジュール画像３０１が示す開催日（図２４（Ｂ）では１０月１０日）について、当該コンテンツが未購入であることを示している。また、斜線が引かれた配置画像３０は、当該配置画像３０が左隅に描写されたスケジュール画像３０１が示す開催日（図２４（Ｂ）では１２月２３日及び１２月３１日）について、当該コンテンツが未発売であることを示している。【００７０】
図２４（Ｂ）に示すチケット（電子ペーパー）２は、１０月１０日という当該コンサートの開催日に対応するチケットである。チケット２は、ユーザがチケット２の左上の隅に表示された三角形の画像を、会員証３における、１０月１０日という当該コンサートの開催日を示すスケジュール画像３０１上に描写された配置画像３０に重ねると、コンサート名「第Ａ回ＢＢライブ」のコンテンツを参照できるようになることを示す情報を表示する。ユーザが、図２４（Ｂ）に示すチケット２の左上の隅に表示された三角形の画像を、会員証３に表示された、１０月１０日という当該コンサートの開催日を示すスケジュール画像３０１上に描写された配置画像３０に正しく重ねると、当該開催日に開催されるコンサートのコンテンツがチケット２上に表示される。【００７１】
図２４（Ａ）及び図２４（Ｂ）に示す実施の形態によれば、ユーザが、例えば、チケット２に表示された三角形の画像を、当該三角形の画像と同じ表示形式（例えば、黒く塗りつぶされた表示形式）で会員証３上に表示された配置画像３０の上に重ねることによって、当該チケット２に対応するコンサートのチケットを参照することができる。その結果、セキュリティを確保しつつ、ユーザが簡便な操作で当該チケット２に対応するコンサートのコンテンツを参照することができるようになる。【００７２】
この本発明を実現するプログラムは、コンピュータが読み取り可能な記録媒体、例えば半導体メモリ、ハードディスク、ＣＤ−ＲＯＭ、ＤＶＤ等に格納することができ、これらの記録媒体に記録して提供され、又は、通信インタフェースを介してネットワークを利用した送受信により提供される。
【産業上の利用可能性】
【００７３】
本発明の情報表示システム及び情報表示方法によれば、電子ペーパーと認証装置とを重ねるという簡便な操作でセキュリティ確保のための認証を行って、認証結果に応じて電子ペーパー上又は認証装置上への情報の表示を行うことが可能となる。また、本発明の情報表示システム及び情報表示方法によれば、電子ペーパー上又は認証装置上に表示させる情報を電子ペーパー又は認証装置と携帯情報端末とに分散して記憶しておくことができるため、さらにセキュリティを高めることができる。また、電子ペーパー上又は認証装置上に表示させる情報を事前に確定させておかずに、その時点に応じて表示内容を変更させることが可能となる。【００７４】
また、本発明の情報表示システムによれば、情報表示システムのユーザは、例えば、認証装置上において配置画像が表示された領域に電子ペーパーを重ねることで、電子ペーパー上又は認証装置上に情報を表示させることができる。この結果、ユーザが電子ペーパーを認証装置のどの領域に重ねたらよいか迷ったり、電子ペーパーを重ねる領域を間違えたりする可能性を低くすることができ、電子ペーパーの操作上の利便性を高くすることができる。また、電子ペーパーを認証装置に単純に重ねただけでは、電子ペーパー上又は認証装置上に情報が表示されないようにすることができる。従って、例えば、ユーザが、電子ペーパーと認証装置とを重ねて、カバン、袋、引き出し又は保存用のバインダー等に保管収容しようとする際に、ユーザの意志に反して電子ペーパーに情報が表示されることがないようにすることができる。【００７５】
また、本発明の情報表示システムによれば、電子ペーパーと認証装置とを重ねるという簡便な操作でセキュリティ確保のための認証を行って、認証結果に応じて電子ペーパー上又は認証装置上に表示されている情報を非表示にすることが可能となる。【００７６】
また、本発明の情報表示システムによれば、例えば、電子ペーパーと認証装置との間の相対的な位置が所定の関係にあるときに、認証装置又は電子ペーパーが、携帯電話等の携帯情報端末から送信された制御選択情報に基づいて、認証装置上又は電子ペーパー上に文字情報又は画像情報を表示し、又は、認証装置上又は電子ペーパー上に表示されている文字情報又は画像情報を非表示にする。その結果、ユーザは、携帯電話等から制御選択情報を送信することにより、認証装置上又は電子ペーパー上に文字情報又は画像情報を表示させたり、認証装置上又は電子ペーパー上に表示されている文字情報又は画像情報を非表示にしたりすることが可能となる。
【図１】
2007132513.tif 000003
【図２】
2007132513.tif 000004
【図３】
2007132513.tif 000005
【図４】
2007132513.tif 000006
【図５】
2007132513.tif 000007
【図６】
2007132513.tif 000008
【図７】
2007132513.tif 000009
【図８】
2007132513.tif 000010
【図９】
2007132513.tif 000011
【図１０】
2007132513.tif 000012
【図１１】
2007132513.tif 000013
【図１２】
2007132513.tif 000014
【図１３】
2007132513.tif 000015
【図１４】
2007132513.tif 000016
【図１５】
2007132513.tif 000017
【図１６】
2007132513.tif 000018
【図１７】
2007132513.tif 000019
【図１８】
2007132513.tif 000020
【図１９】
2007132513.tif 000021
【図２０】
2007132513.tif 000022
【図２１】
2007132513.tif 000023
【図２２】
2007132513.tif 000024
【図２３】
2007132513.tif 000025
【図２４】
2007132513.tif 000026
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
電子ペーパーと前記電子ペーパーを認証する認証装置と携帯情報端末とからなる情報表示システムであって、
前記電子ペーパー及び前記認証装置に備えられ、前記電子ペーパーと前記認証装置とが重ねられた場合の前記電子ペーパーと前記認証装置との間の相対的な位置を検知する第１及び第２の位置検知手段と、
前記電子ペーパー又は前記認証装置に備えられ、前記第１及び第２の位置検知手段によって検知された前記相対的な位置が所定の関係にあるかを判断する位置認証処理を行い、前記位置認証処理結果に基づいて、前記電子ペーパー又は前記認証装置に対して制御信号を送出する判断処理手段と、
前記電子ペーパー、前記認証装置、又は前記携帯情報端末に備えられ、前記電子ペーパー、前記認証装置、又は前記携帯情報端末との間で文字情報又は画像情報を送受信する情報送受信手段と、
前記電子ペーパー又は前記認証装置に備えられ、前記判断処理手段によって送出された制御信号に基づいて、前記電子ペーパー上又は前記認証装置上に文字情報又は画像情報を表示する情報表示手段とを備える
ことを特徴とする情報表示システム。
【請求項２】
請求項１に記載の情報表示システムにおいて、
前記情報送受信手段が、前記電子ペーパーと前記認証装置とを重ねるべき領域を示す画像である配置画像を前記電子ペーパー、前記認証装置、又は前記携帯情報端末との間で送受信し、
前記情報表示手段が、前記配置画像を前記電子ペーパー上又は前記認証装置上に表示し、
前記判断処理手段が、前記電子ペーパーの前記配置画像が表示される領域に前記認証装置が重ねられた場合、又は、前記認証装置の前記配置画像が表示される領域に前記電子ペーパーが重ねられた場合、前記電子ペーパー又は前記認証装置に対して制御信号を送出する
ことを特徴とする情報表示システム。
【請求項３】
請求項１に記載の情報表示システムにおいて、
前記情報表示手段が、さらに、前記送出された制御信号に基づいて、表示されている文字情報又は画像情報を非表示にする
ことを特徴とする情報表示システム。
【請求項４】
請求項１に記載の情報表示システムにおいて、
前記情報送受信手段が、前記電子ペーパー又は前記認証装置が備える前記判断処理手段に対して、文字情報や画像情報の表示を指示する情報又は文字情報や画像情報の非表示を指示する情報のいずれを制御信号として送出するかを指示する情報である制御選択情報を送信し、
前記判断処理手段が、前記情報送受信手段から受信した前記制御選択情報に基づいて、前記文字情報や画像情報の表示を指示する情報又は文字情報や画像情報の非表示を指示する情報を前記制御信号として送出し、
前記情報表示手段が、前記判断処理手段によって送出された制御信号に基づいて、前記電子ペーパー上又は前記認証装置上に文字情報又は画像情報を表示し、又は前記電子ペーパー上又は前記認証装置上に表示されている文字情報又は画像情報を非表示にする
ことを特徴とする情報表示システム。
【請求項５】
電子ペーパーと前記電子ペーパーを認証する認証装置と携帯情報端末とからなる情報表示システムにおける情報表示方法であって、
前記電子ペーパーと前記認証装置とが重ねられた場合の前記電子ペーパーと前記認証装置との間の相対的な位置を検知し、
前記検知された前記相対的な位置が所定の関係にあるかを判断する位置認証処理を行い、前記位置認証処理結果に基づいて、前記電子ペーパー又は前記認証装置に対して制御信号を送出し、
前記電子ペーパー、前記認証装置、又は前記携帯情報端末との間で文字情報又は画像情報を送受信し、
前記送出された制御信号に基づいて、前記電子ペーパー上又は前記認証装置上に文字情報又は画像情報を表示する
ことを特徴とする情報表示方法。
【国際調査報告】
2007132513.tif 000027
2007132513.tif 000028
2007132513.tif 000029
2007132513.tif 000030